(57)【要約】【課題】ソケットへの装着を極めて簡単に行うことにより生産性の向上を図ることができる照明器具を提供する。【解決手段】照明器具１０は、ソケット１２を有するアーム１１と、アーム１１のソケット１２に嵌合して商用電源を得る取付部１８と商用電源から得られた電気を調整する電源部１９と電源部１９から供給された電力で点灯するLEDを内蔵した点灯部２０とを有する点灯ユニット１３と、を備えた。【選択図】図１
2010170955.tif 000002
【特許請求の範囲】
【請求項１】
ソケットを有するアームと、
前記アームの前記ソケットに嵌合して商用電源を得る取付部と前記商用電源から得られた電気を調整する電源部と前記電源部から供給された電力で点灯するLEDを内蔵した点灯部とを有する点灯ユニットと、
を備えたことを特徴とする照明器具。
【請求項２】
前記取付部の前記ソケットへの嵌合方向と前記点灯部の照射方向とは角度を有することを特徴とする請求項１記載の照明器具。
【請求項３】
前記点灯部は前記電源部と分離可能であることを特徴とする請求項１または２記載の照明器具。
【請求項４】
前記取付部は、前記ソケットから電力を受けるための電気接続部と、前記電気接続部が前記ソケットに装着された状態を保持するロック手段と、とを有することを特徴とする請求項１〜３のいずれか１項記載の照明器具。
【発明の詳細な説明】
【技術分野】
【０００１】
本発明は、例えば住宅の天井面に取り付けられて廊下や壁等を照明するダウンライト等に用いられる照明器具に関する。
【背景技術】
【０００２】
電球型LED光源を、その光軸方向がソケットの差し込み方向を軸として回転するようにした照明器具を既に提案している（例えば、特許文献１参照）。
【先行技術文献】
【特許文献】
【０００３】
【特許文献１】特開２００５−２７６４６７号公報（図１、請求項１）
【発明の概要】
【発明が解決しようとする課題】
【０００４】
通常、白熱灯を蛍光灯やLED等の省エネ性に優れた代替光源へ置換する場合、ミニクリプトンランプ等の小型白熱光源を用いた薄型ダウンライトは照明器具の高さを押さえるためにランプが斜めに配置されていることが多い。
【０００５】
またLED電球等の代替光源はミニクリプトン電球よりも大きいため代替光源を取り付けることが非常に困難であり、装着できたとしても斜め方向へ照射されるために照明器具から照射される光が白熱灯の時と大きく変わるためランプを置換して代替使用することが困難であった。
【０００６】
本発明は、前述した課題を解決するためになされたものであり、その目的は、ソケットへの装着を極めて簡単に行うことにより交換作業性の向上を図ることができる照明器具を提供することにある。
【課題を解決するための手段】
【０００７】
本発明に係る照明器具は、ソケットを有するアームと、前記アームの前記ソケットに嵌合して商用電源を得る取付部と前記商用電源から得られた電気を調整する電源部と前記電源部から供給された電力で点灯するLEDを内蔵した点灯部とを有する点灯ユニットと、を備えたことを特徴とする。
【０００８】
本発明においては、点灯ユニットはソケットへの嵌合によりアームに装着される。
これにより、点灯ユニットは従来のソケットにそのまま装着することができるので、アームへの加工を不要にして代替光源への適用を簡単に行うことができる。
【０００９】
本発明においては、点灯ユニットはソケットへの差し込み等によりアームに装着される。
従って、従来のもののように、LED電球をソケットの最奥までねじ込んで電気接続をする必要がなくなるとともに、LEDの光軸選択がねじ込みの影響を受けることがない。
【００１０】
本発明に係る照明器具は、上記照明器具において、前記取付部の前記ソケットへの嵌合方向と前記点灯部の照射方向とは角度を有することを特徴とする。
【００１１】
本発明においては、取付部のソケットへの嵌合方向に対して点灯部の照射方向を任意の方向に変更することができる。
従って、取付部のソケットへの嵌合方向に対する点灯部の照射方向を任意の方向に変更することにより、点灯部の照射方向による光の演出を行うことができる。
【００１２】
本発明に係る照明器具は、上記照明器具において、前記点灯部は前記電源部と分離可能であることを特徴とする。
【００１３】
本発明においては、点灯部の構成を任意に変更して電源部に結合することができる。
従って、明るさ、光色、配光等の光学的特性を変更することにより光のコーディネートを簡単に行うことができる。
【００１４】
本発明においては、点灯部を電源部から取り外しておいて電源部をソケットに装着し、その後に電源部に点灯部を接続することができる。
従って、アーム内に反射板がある場合等に、反射板に干渉することなく点灯部を確実に接続することができる。
【００１５】
本発明に係る照明器具は、上記照明器具において、前記取付部は、前記ソケットから電力を受けるための電気接続部と、前記電気接続部が前記ソケットに装着された状態を保持するロック手段と、とを有することを特徴とする。
【００１６】
本発明においては、点灯ユニットは取付部をソケットに嵌合することにより電気接続部がソケット等の端子に電気的に接続される。このとき、点灯ユニットはロック手段により電気接続部がソケットに装着された状態を保持される。
従って、点灯ユニットはソケットに装着された状態で容易に脱落せずに通電回路を確実に形成することができる。
【発明の効果】
【００１７】
本発明の照明器具によれば、ソケットを有するアームと、アームのソケットに嵌合して商用電源を得る取付部と商用電源から得られた電気を調整する電源部と電源部から供給された電力で点灯するLEDを内蔵した点灯部とを有する点灯ユニットとを備えた。
【図面の簡単な説明】
【００１８】
【図１】本発明に係る一実施形態の照明器具の縦断面図
【図２】図１に示した照明器具の底面図
【図３】図１に示した照明器具の点灯ユニットの単体正面図
【図４】図１に示した照明器具の回路構成図
【図５】（Ａ）は図１に示した照明器具における点灯ユニットの電気接続部とロック手段とを説明するロック前の側面図および正面図、（Ｂ）は図１に示した照明器具における点灯ユニットの電気接続部とロック手段とを説明するロック中の側面図および正面図、（Ｃ）は図１に示した照明器具における点灯ユニットの電気接続部とロック手段とを説明するロック後の側面図および正面図
【図６】（Ａ）は図１に示した照明器具の点灯ユニットの取付手順を説明する第１段階の縦断面図、（Ｂ）は図１に示した照明器具の点灯ユニットの取付手順を説明する第２段階の縦断面図、（Ｃ）は図１に示した照明器具の点灯ユニットの取付手順を説明する第３段階の縦断面図、（Ｄ）は図１に示した照明器具の点灯ユニットの取付手順を説明する第４段階の縦断面図
【発明を実施するための形態】
【００１９】
以下、本発明の一実施形態に係る照明器具についてダウンライトを例に図面を参照して説明する。
【００２０】
図１に示すように、本発明の一実施形態である照明器具１０は、アーム１１と、アーム１１に装着したソケット１２と、アーム１１にネジにて固定される反射板１６と、端子台１４と、を備え、住宅等の天井面１に形成された取付穴２に取り付けられる。
【００２１】
アーム１１は、その側部に端子台１４を組み付けており、器具配線１５を通じて端子台１４をソケット１２内に電気的に接続している。
【００２２】
アーム１１は反射板１６を中央部に形成している。反射板１６は図１中の下方である床面側を凹とした球面形状に形成されている。アーム１１は、その下端部にフランジ形状の枠部材１７を有する。
【００２３】
アーム１１はソケット１２を水平面Ａ１に対して予め定められた角度α１だけ傾斜して組み付けている。
【００２４】
ソケット１２には点灯ユニット１３が嵌合される。点灯ユニット１３は、取付部１８と、電源部１９と、点灯部２０と、を一体的に備える。
【００２５】
図２にも示すように、点灯部２０は複数の例えば６個のLED（発光ダイオード）２１を有し、中心の１個の周りに５個を放射状に配置している。
【００２６】
図３にも示すように、取付部１８は若干の可撓性を有する樹脂材料を用いて成形されており、商用電源（図４参照）ＡＣを得るために用いられる。電源部１９は商用電源ＡＣから得られた電気を直流電流に変換する等して調整する。点灯部２０は電源部１９から供給された直流電流でLED２１を点灯させる。
【００２７】
電源部１９は点灯部２０と分離可能に組み付けられている。そのため、点灯部２０はLED２１の明るさや光色や配光等の光学的特性の異なる仕様の点灯部２０を適宜変更して電源部１９に接続することができる。
従って、照明器具１０は、明るさ、光色、配光等の光学的特性を適宜変更することにより光のコーディネートを簡単に行うことができる。
【００２８】
電源部１９と点灯部２０とが分離可能であるために、電源部１９をソケット１２に先に装着し、その後に電源部１９に点灯部２０を接続することができる。
従って、照明器具１０は、アーム１１内の反射板１６に干渉することなく点灯部２０を確実に接続することができる。
【００２９】
点灯部２０は図３中の下方へ向けた照射方向を有する。点灯部２０の照射方向と取付部１８のソケット１２への嵌合方向とは予め定められた角度α２を有している。角度α２は任意に設定変更することができる。
従って、照明器具１０は、取付部１８のソケット１２への嵌合方向に対する点灯部２０の照射方向を任意の方向に変更することにより、点灯部２０の照射方向による光の演出を行うことができる。
【００３０】
図４にも示すように、ソケット１２は一対の端子２２，２３を有する。電源部１９は取付部１８のソケット１２側に電気接続部である一対の端子２４，２５を有するとともに点灯部２０側に一対の端子２６，２７を有する。点灯部２０は電源部１９側に一対の端子２８，２９を有する。
【００３１】
点灯部２０の端子２８，２９は点灯部２０を電源部１９に接続することにより電源部１９の端子２６，２７にそれぞれ電気的に接続される。
【００３２】
電源部１９の端子２４，２５は点灯ユニット１３をソケット１２に嵌合することによりソケット１２内の端子２２，２３にそれぞれ電気的に接続され、商用電源ＡＣに接続される。
【００３３】
図５（Ａ）にも示すように、取付部１８には軸部３０と筒部３１と一対の可撓部３２とを備えている。
【００３４】
軸部３０はソケット１２内に挿入される軸形状に形成されている。軸部３０には電源部１９の一対の端子２４，２５のうちの一方の端子２４が収容されている。端子２４は先端部を軸部３０から突出している。
【００３５】
筒部３１は軸部３０の外側に円筒形状に形成されており、ソケット１２の内径よりもわずかに小さいに外径を有する。
【００３６】
可撓部３２は筒部３１の対向する位置において筒部３１からそれぞれ切欠かれており、軸部３０に向けて可撓可能である。
【００３７】
可撓部３２の外周部には電源部１９の一対の端子２４，２５のうちの他方の端子２５がそれぞれ被着されている。他方の端子２５は、それぞれの先端部の外周部にロック手段の一方を構成する凹凸の係合突起部３３を形成している。
【００３８】
図５（Ｂ）にも示すように、ソケット１２は周板３４と底板３５とを有する。ソケット１２内の一対の端子２２，２３は底板３５に組み付けられている。
【００３９】
ソケット１２内の一対の端子２２，２３のうちの他方の端子２３は周板３４の内周に配置されている。他方の端子２３は、それぞれの先端部の外周部にロック手段の他方を構成する凹凸の係合突起受部３６を形成している。
【００４０】
点灯ユニット１３は、取付部１８をソケット１２内に挿入していくと、可撓部３２がソケット１２の周板３４の内面に摺接することにより軸部３０に向けて外径を小さくするように弾性変形しながらソケット１２内に進行していく。
【００４１】
図５（Ｃ）にも示すように、その後、軸部３０の一方の端子２４はソケット１２の底板３５の一方の端子２２に電気的に接続される。
【００４２】
同時に、可撓部３２は弾性反発力を蓄積しているために、外径を大きくするように弾性復元する。これにより、弾性復元力により可撓部３２の他方の端子２５の係合突起部３３が他方の端子２３の係合突起受部３６に係合されてロック状態となって保持され、他方の端子２５が他方の端子２３に電気的に接続される。
【００４３】
このように、点灯ユニット１３は、ねじ込みを行うことなく、取付部１８がソケット１２へ差し込まれるだけの簡単な操作で各端子２４，２２および２５，２３の電気的な接続が行われる。
【００４４】
次に、照明器具１０の組み立て手順について説明する。
【００４５】
図６（Ａ）にも示すように、まず、点灯ユニット１３の電源部１９と点灯部２０とを分離しておく。ここで、例えばショップ等において、複数の仕様の点灯部２０を用意しておき、使用者が選んだ点灯部２０と電源部１９とをセット販売するようにするのが望ましい。
【００４６】
図６（Ｂ）にも示すように、そして、電源部１９だけを持って電源部１９をソケット１２に向けて進行していき、電源部１９のみをソケット１２に装着する。
【００４７】
電源部１９は取付部１８がソケット１２へ差し込まれることにより、各端子２４，２２および２５，２３が電気的に接続される。
【００４８】
図６（Ｃ）に示すように、次に、電源部１９に対して点灯部２０を接続する。点灯部２０は図６（Ｃ）中の下方から電源部１９に向けて進行していく。
【００４９】
図６（Ｄ）に示すように、点灯部２０の電源部１９への接続により、点灯部２０の各端子２８，２９が電源部１９の各端子２６，２７にそれぞれ電気的に接続される。
【００５０】
本発明の一実施形態の照明器具１０では、点灯ユニット１３はソケット１２への嵌合によりアーム１１に装着される。
これにより、点灯ユニット１３は従来のソケット１２にそのまま装着することができるので、アーム１１への加工を不要にして代替光源への適用を簡単に行うことができる。
従って、ソケット１２への装着を極めて簡単に行うことにより交換作業性の向上を図ることができる。
【００５１】
本発明の一実施形態の照明器具１０では、点灯ユニット１３はソケット１２への差し込み等によりアーム１１に装着される。
従って、従来のもののように、LED電球をソケットの最奥までねじ込んで電気接続をする必要がなくなるとともに、LED２１の光軸選択がねじ込みの影響を受けることがない。
【００５２】
本発明の一実施形態の照明器具１０では、取付部１８のソケット１２への嵌合方向に対して点灯部２０の照射方向を任意の方向に変更することができる。
従って、取付部１８のソケット１２への嵌合方向に対する点灯部２０の照射方向を任意の方向に変更することにより、点灯部２０の照射方向による光の演出を行うことができる。
【００５３】
本発明の一実施形態の照明器具１０では、点灯部２０の構成を任意に変更して電源部１９に結合することができる。
従って、明るさ、光色、配光等の光学的特性を変更することにより光のコーディネートを簡単に行うことができる。
【００５４】
本発明の一実施形態の照明器具１０では、点灯部２０を電源部１９から取り外しておいて電源部１９をソケット１２に装着し、その後に電源部１９に点灯部２０を接続することができる。
従って、アーム１１内の反射板１６に干渉することなく点灯部２０を確実に接続することができる。
【００５５】
本発明の一実施形態の照明器具１０では、点灯ユニット１３は取付部１８をソケット１２に嵌合することにより端子２４，２５がソケット１２の端子２２，２３に電気的に接続される。このとき、点灯ユニット１３は各端子２４，２５に有する係合突起部３３と各端子２２，２３に有する係合突起受部３６とのロックによりソケット１２に装着された状態を保持される。
従って、点灯ユニット１３はソケット１２に装着された状態で容易に脱落せずに通電回路を確実に形成することができる。
【００５６】
なお、前記各実施形態で使用したアーム１１、ソケット１２、反射板１６、枠部材１７等は例示したものに限定するものではなく適宜変更が可能である。
【符号の説明】
【００５７】
１  天井面
１０  照明器具
１１  アーム
１２  ソケット
１３  点灯ユニット
１８  取付部
１９  電源部
２０  点灯部
２１  LED
２４、２５  端子（電気接続部）
３３  係合突起部（ロック手段）
３６  係合突起受部（ロック手段）
ＡＣ  商用電源
【図１】
2010170955.tif 000003
【図２】
2010170955.tif 000004
【図３】
2010170955.tif 000005
【図４】
2010170955.tif 000006
【図５】
2010170955.tif 000007
【図６】
2010170955.tif 000008